(57)【要約】【課題】  積層コアの焼きばめ時の変形が回転軸へ伝わるのを減らして軸曲がりを防止し、回転機の回転中に振動や騒音が発生しない回転子を提供する。【解決手段】  回転軸１と、回転軸１に固定された複数枚の磁性鋼板からなる積層コア２と、ダイカストにより成形される導体部６と、軸方向両端で導体部６を短絡する一対の導体短絡環３とから構成される回転子１０において、円周方向及び／又はスラスト方向にスリットが加工されているスリーブ４を積層コア２と回転軸１との間に配置した。【選択図】    図１
2005124349.tif 000002
【特許請求の範囲】
【請求項１】
回転軸と、該回転軸に固定された複数枚の磁性鋼板からなる積層コアと、ダイカストにより成形される導体部と、軸方向両端で導体部を短絡する一対の導体短絡環とから構成される回転子において、
円周方向及び／又はスラスト方向にスリットが加工されているスリーブを前記積層コアと前記回転軸との間に配置することを特徴とする回転子。
【請求項２】
前記スリットは、前記スリーブと前記積層コアの焼きばめ範囲外でかつ投影図で見て前記スリーブと前記回転軸の焼きばめ範囲外の部分に加工されていることを特徴とする請求項１記載の回転子。
【請求項３】
前記スリーブが円筒状をしており、かつその軸方向両端で内側に肉厚となっており、該肉厚部で前記回転軸に焼きばめされることを特徴とする請求項１又は２記載の回転子。
【発明の詳細な説明】
【技術分野】
【０００１】
本発明は、回転機の回転子の構造、特に焼きばめ時に変形の起こらない回転子構造に関する。
【背景技術】
【０００２】
従来、回転機の回転子構造は、図３の側断面図に示すようになっている。
図において、１は回転軸、２は積層コア、３は短絡環である。従来は図３に示すように回転軸１に積層コア２を直接焼きばめして固定する方法をとっていた（例えば、特許文献１参照）。
【特許文献１】特開２００３−４７２２１号公報
【０００３】
特許文献１記載の回転子は、遠心力による短絡環の強度を増大させ、短絡環の熱膨張により補強部材に応力がかかるのを防止できるようにするもので、回転軸に固定され、複数の磁性薄板を積層してなる積層コアと、積層コアの外周面に近接して軸方向へ貫通形成された複数の貫通穴と、貫通穴に配置される複数の導体棒および積層コアの軸方向両端でそれら導体棒を短絡し、かつ、相互に連結する短絡環より構成されると共に鋳造工程により一体成形される導体部分と、短絡環を被覆して短絡環の変形を防止する補強部材とを備えたかご形回転子において、補強部材を高強度のアルミニウム合金で構成された略Ｌ字状の断面を有すると共に、回転軸の外周から径方向に向かい所定の間隔を空けて短絡環を包むよう、導体部分の鋳造時に積層コアと短絡環と一体成形するものである。
【発明の開示】
【発明が解決しようとする課題】
【０００４】
ところが図３のような構造で、積層コアを直接回転軸に焼きばめした場合、積層コアの変形が直接、回転軸に伝わってしまう。積層コアの変形は回転機の駆動中の遠心力や発生する熱により起こるが、積層コアの変形が均一になれば問題はない。しかし積層コアの導体部と短絡環はダイカストにより成形されるが、ダイカストでは巣の発生を防ぐことは大変難しいこと、積層コアは磁性鋼板の積層で構成されるため磁性鋼板一枚一枚の個体差の影響を受けることなどの点から、積層コアの構造は不均一となり、不均一な積層コアの変形が起こることは不可避であった。不均一な積層コアの変形が回転軸を曲げると、回転中にアンバランスを発生させ、回転機の振動や騒音の原因になるという問題があった。
そこで、本発明の目的は、積層コアの変形が回転軸へ伝わるのを減少する構造にすることで、回転軸曲がりを防止し、よって回転機の回転中に振動や騒音が発生しないような回転機の回転子を得ることにある。
【課題を解決するための手段】
【０００５】
上記問題を解決するため、請求項１記載の回転子の発明は、回転軸と、該回転軸に固定された複数枚の磁性鋼板からなる積層コアと、ダイカストにより成形される導体部と、軸方向両端で導体部を短絡する一対の導体短絡環とから構成される回転子において、円周方向及び／又はスラスト方向にスリットが加工されているスリーブを前記積層コアと前記回転軸との間に配置することを特徴とする。
請求項２記載の発明は、請求項１記載の回転子において、前記スリットが、前記スリーブと前記積層コアの焼きばめ範囲外でかつ投影図で見て前記スリーブと前記回転軸の焼きばめ範囲外の部分に加工されていることを特徴とする。
請求項３記載の発明は、請求項１又は２記載の回転子において、前記スリーブが円筒状をしており、かつその軸方向両端で内側に肉厚となっており、該肉厚部で前記回転軸に焼きばめされることを特徴とする。
【発明の効果】
【０００６】
以上の構成によれば、積層コアと回転軸の間にスリットを加工されたスリーブを配置して、このスリーブに積層コアの変形を吸収させるために、積層コアの変形が回転軸へ伝わるのを減少でき、軸曲がりを防止し、よって回転機の回転中に振動や騒音が発生しないような回転機の回転子が得られる。
【発明を実施するための最良の形態】
【０００７】
以下、本発明を実施するための最良の形態を図に基づいて説明する。
図１は本発明に係る回転子の側断面図である。
図において、１１は回転子、１は回転軸、２は回転軸１に嵌着固定される複数の磁性薄板を積層してなる積層コア、３は積層コア２の軸方向両端に配置され、複数の導体棒６を相互に機械的かつ電気的に連結する一対の短絡環である。
４は本発明によって採用された円筒状のスリーブ、５は円筒状のスリーブ４と回転軸１の間の隙間である。隙間５は積層コア２の全長よりも長めに形成されている。円筒状スリーブ４は、その軸方向両端４ａ，４ａで内側に肉厚となっており、該肉厚部４ａ，４ａで回転軸１に焼きばめされている。その結果、円筒状スリーブ４と回転軸１の間に上記隙間５ができ、これが積層コア２のラジアル（半径）方向の変形を吸収するために、積層コア２の変形が回転軸１へ伝わるのを減少している。
６は積層コア２の円筒表面に設けられた複数の導体棒である。複数の導体棒６と一対の短絡環３は導体部分を構成するもので、例えばアルムニウムなどの電気良導性金属材料からダイカスト等の鋳造工程を経て一体成形されている。
【０００８】
図２は本発明の構造を示すスリーブの側面図である。
図において、７（７ａ、７ｂ）はスリットである（ハッチング部）。８は回転軸１とスリーブ４の焼きばめ範囲、９はスリーブ４と積層コア２の焼きばめ範囲で、ここにはスリット７は形成されていない。１０はスリーブ４と積層コア２の焼きばめ範囲９外でかつスリーブ４と回転軸１の焼きばめ範囲８（投影図で）の外の部分である。この部分１０には本発明による複数本のスリット７ａ、７ｂがそれぞれ形成されている。
スリット７ａは、それぞれが回転軸のスラスト方向に伸びた形状をしており、それが図のように円周方向に一列横隊に形成されている。もちろん、スリット７ａは一列横隊に限定されるものではなく、多数列横隊で形成されてもよい。
他方のスリット７ｂは、それぞれが円周方向に伸びた形状をしており、それが図のように円周方向に二列縦隊に形成されている。もちろん、スリット７ｂは二列縦隊に限定されるものではなく、多数列縦隊で形成されてもよい。
また、スリット７ａ、７ｂの形成位置は互いに内外入れ替わってもよい。
そこで、積層コア２の一部にスラスト方向への変形が起きている時、その変形はスリット７ｂによって吸収されてしまうので、焼きばめ部から回転軸１へその変形は伝わらなくなる。
また、積層コア２がラジアル方向に伸びて楕円形のような変形をした時は、その変形はスリット７ａによって吸収されてしまうので、焼きばめ部から回転軸１へその変形は伝わらなくなる。
積層コア２がラジアル方向に曲線状に曲がった変形をした時、その変形は隙間５により吸収され、焼きばめ部から直接回転軸１へ伝わらないようになっている。
このように、本発明によれば、積層コア２の変形が回転軸１へ伝わるのを減少する構造になり、したがって、回転軸曲がりを防止し、よって回転機の回転中に振動や騒音が発生しないような回転機の回転子を得ることができる。
【０００９】
以上述べたように、本発明によれば、回転軸と、該回転軸に固定された複数枚の磁性鋼板からなる積層コアと、ダイカストにより成形される導体部と、軸方向両端で導体部を短絡する一対の導体短絡環とから構成される回転子において、円周方向及び／又はスラスト方向にスリットが加工されているスリーブを前記積層コアと前記回転軸との間に配置したので、予想される積層コアのあらゆる変形がスリーブにより吸収されるため、積層コアの変形が直接、回転軸に影響し、回転軸が曲がるのを防ぐ効果がある。
したがって、回転機の回転中に振動や騒音が発生しないような回転機の回転子を得ることができる。
【図面の簡単な説明】
【００１０】
【図１】本発明に係る回転子の側断面図である。
【図２】本発明に採用されるスリーブの構造を示す側面図である。
【図３】従来の回転子の側断面図である。
【符号の説明】
【００１１】
１  回転軸
２  積層コア
３  短絡環
４  スリーブ
４ａ  肉厚部
５  隙間
６  導体棒
７  スリット
７ａ  スラスト方向に伸びたスリット
７ｂ  円周方向に伸びたスリット
８  スリーブと回転軸の焼きばめ範囲
９  スリーブと積層コアの焼きばめ範囲
１０  スリーブと積層コアの焼きばめ範囲外でかつスリーブと回転軸の焼きばめ範囲（投影図で）外の部分である。
１１  回転子
【図１】
2005124349.tif 000003
【図２】
2005124349.tif 000004
【図３】
2005124349.tif 000005